(57)【要約】【課題】映像信号処理ＬＳＩと、当該映像信号処理ＬＳＩの外付けメモリとの間のデータバスのバンド幅を超えず、破綻した映像が表示されないようにする。【解決手段】主画面の映像信号が１０８０ｉ／ｐのとき、ピクチャー・イン・ピクチャー表示処理を行うときの主画面の映像信号のディスプレイへの表示モードを、１０８０ラインあるＨＤの映像信号をスケーリングせずに、１０８０ラインあるＨＤパネルに１ドット１ピクセルとして表示させるスキャンモードで表示させた場合にデータバスのバンド幅を超え、表示モードをオーバースキャンモードで表示させた場合にデータバスのバンド幅を超えない場合、主画面の映像信号が１０８０ｉ／ｐのときには表示させるスキャンモードをオーバースキャンモードとすることにより、破綻した映像が表示されることを防ぐ。【選択図】  図３
2011044830.tif 000002
【特許請求の範囲】
【請求項１】
主画面用の入力信号が所定の映像信号であるか否かを検出する入力信号検出手段と、
入力信号を切り換えるための入力信号切換指示を受信する入力信号切換指示受信手段と、
画角モードを切り換えるための画角モード切換指示を受信する画角モード切換指示受信手段と、
前記入力信号切換指示受信手段が受信した前記入力信号切換指示に応じた入力信号を選択し、この選択した入力信号を前記画角モード切換指示受信手段により受信された前記画角モード切換指示に応じた画角モードで主画面信号を生成する主画面信号生成手段と、
前記主画面信号生成手段が生成した主画面信号に、外部から入力された副画面信号を重畳したピクチャー・イン・ピクチャー信号を生成するピクチャー・イン・ピクチャー信号処理手段と、
前記入力信号検出手段が前記主画面用の入力信号が所定の映像信号であると判断したときに、前記主画面信号生成手段に対して前記主画面信号をオーバースキャンさせ、前記入力信号検出手段が前記主画面用の入力信号が所定の映像信号でないと判断したときに、前記主画面信号生成手段に対して前記主画面信号をオーバースキャンさせずに生成させる制御手段とを備えたことを特徴とする映像信号処理装置。
【請求項２】
更にピクチャー・イン・ピクチャーをオフする制御信号を受信する制御信号受信手段を有し、
この制御信号受信手段がピクチャー・イン・ピクチャーをオフする制御信号を受信すると、この受信した時点におけるオーバースキャン状態を維持した主画面信号の生成を維持するよう前記主画面信号生成手段を制御する主画面制御手段とを備えたことを特徴とする請求項１記載の映像信号処理装置。
【請求項３】
前記制御手段は、前記入力信号検出手段が前記主画面用の入力信号が所定の映像信号と判断した後、前記主画面用の入力信号が所定の映像信号でないと判断した場合、前記主画面用の入力信号が所定の映像信号と判断する前の制御状態に戻すことを特徴とする請求項１記載の映像信号処理装置。
【請求項４】
前記制御手段は、
ピクチャー・イン・ピクチャー表示時に前記画角モード切換指示受信手段からの画角モード切換指示に応じて複数のオーバースキャンモードを切換えると共に、
ピクチャー・イン・ピクチャー表示終了時に、この終了前に表示していたオーバースキャンの画角モードにてピクチャー・イン・ピクチャー信号処理手段に主画面信号を生成させることを特徴とする請求項１乃至３のいずれか１項記載の映像信号処理装置。
【請求項５】
前記所定の映像信号は、１０８０ｉ／ｐの信号であることを特徴とする請求項１乃至４のいずれか１項記載の記載の映像信号処理装置。
【発明の詳細な説明】
【技術分野】
【０００１】
この発明は、映像信号処理装置に関し、特にピクチャー・イン・ピクチャーの機能を持った映像信号処理装置に関する。
【背景技術】
【０００２】
従来、テレビジョンにおいてピクチャー・イン・ピクチャーが知られている（例えば、特許文献１参照）。
【先行技術文献】
【特許文献】
【０００３】
【特許文献１】特開平０５−０８３６５４号公報（段落番号［００１４］−［００１７］、図１）
【発明の概要】
【発明が解決しようとする課題】
【０００４】
ある映像信号処理ＬＳＩでは、ピクチャー・イン・ピクチャー表示処理を行うときの主画面の映像信号の信号フォーマットが１０８０ｉ／１０８０ｐのときに次の（機能１）〜（機能５）の機能を有効に働かせた場合、この映像信号処理ＬＳＩと、当該映像信号処理ＬＳＩの外付けメモリとして設けられたＤＤＲ（Double-Data-Rate）メモリとの間のデータバスのバンド幅を超えてしまい、破綻した映像が表示されてしまうとう問題があった。
【０００５】
（機能１）３次元ノイズ・リダクション（３Ｄ−ＮＲ）の機能を働かせる。
（機能２）オン・スクリーン・ディスプレイ（ＯＳＤ）の機能を働かせる。
（機能３）内蔵するＤＳＰ部で音声信号処理の機能を働かせる。
（機能４）ピクチャー・イン・ピクチャー（ＰＩＰ）の機能を働かせる。
（機能５）ピクチャー・イン・ピクチャー表示処理を行うときの主画面の映像信号のディスプレイへの表示モードを、１０８０ラインあるＨＤの映像信号をスケーリングせずに、１０８０ラインあるＨＤパネルに１ドット１ピクセルとして表示させるスキャンモードであるジャストスキャン（ネイティブモード）で表示させる機能を働かせる。
【０００６】
要するに、ピクチャー・イン・ピクチャー表示処理を行うときの主画面の映像信号が特定の映像信号フォーマット（主画面の映像信号の信号フォーマットが１０８０ｉ／１０８０ｐ）であるときに、通常処理が必要である上記（機能１）〜（機能５）の機能を働かせた場合、映像信号処理ＬＳＩと、当該映像信号処理ＬＳＩの外付けメモリとして設けられたＤＤＲ（Double-Data-Rate）メモリとの間のデータバスのバンド幅を超えることにより破綻した映像が表示されてしまうとう問題があった。
【０００７】
この発明は、特に削っても支障のない機能については、機能の実現に必要とする処理量を減らすことにより、映像信号処理ＬＳＩと、当該映像信号処理ＬＳＩの外付けメモリとして設けられたＤＤＲ（Double-Data-Rate）メモリとの間のデータバスのバンド幅が超えることにより破綻した映像が表示されてしまうとう問題を解消することを目的とする。
【課題を解決するための手段】
【０００８】
上記の目的を達成するために、この発明においては、主画面用の入力信号が所定の映像信号であるか否かを検出する入力信号検出手段と、入力信号を切り換えるための入力信号切換指示を受信する入力信号切換指示受信手段と、画角モードを切り換えるための画角モード切換指示を受信する画角モード切換指示受信手段と、前記入力信号切換指示受信手段が受信した前記入力信号切換指示に応じた入力信号を選択し、この選択した入力信号を前記画角モード切換指示受信手段により受信された前記画角モード切換指示に応じた画角モードで主画面信号を生成する主画面信号生成手段と、前記主画面信号生成手段が生成した主画面信号に、外部から入力された副画面信号を重畳したピクチャー・イン・ピクチャー信号を生成するピクチャー・イン・ピクチャー信号処理手段と、前記入力信号検出手段が前記主画面用の入力信号が所定の映像信号であると判断したときに、前記主画面信号生成手段に対して前記主画面信号をオーバースキャンさせ、前記入力信号検出手段が前記主画面用の入力信号が所定の映像信号でないと判断したときに、前記主画面信号生成手段に対して前記主画面信号をオーバースキャンさせずに生成させる制御手段とを備えたことを特徴とする映像信号処理装置を提供する。
【発明の効果】
【０００９】
この発明によれば、主画面の映像信号が特定の映像信号フォーマット（主画面の映像信号の信号フォーマットが１０８０ｉ／１０８０ｐ）であるときに、通常処理が必要である機能を働かせた場合に発生する、映像信号処理ＬＳＩと、当該映像信号処理ＬＳＩの外付けメモリとして設けられたＤＤＲ（Double-Data-Rate）メモリとの間のデータバスのバンド幅を超えることなく破綻した映像が表示されることがないという効果を得ることができる。
【図面の簡単な説明】
【００１０】
【図１】本発明を適用したテレビジョン放送受信装置１１１の外観と、このテレビジョン放送受信装置１１１を中心として構成されるネットワークシステムを説明するための図。
【図２】テレビジョン放送受信装置１１１の主要な信号処理系を示す図。
【図３】ＰＩＰ起動時に“特定の入力信号”を主画面にした場合の、制御部２５０による画角モード切換のフローチャート。
【図４】テレビジョン放送受信装置１１１の電源オフにてＰＩＰをＯＦＦ（解除）する場合の、制御部２５０による画角モード切換のフローチャート。
【図５】ＰＩＰ起動中に“特定の入力信号”を表示中に、ユーザー操作で画角モードが切り換えられた後、“特定の入力信号”を主画面にしてＰＩＰ表示を行った場合の画角モード切換のフローチャート。
【図６】ＰＩＰ起動中、主画面の画角モードが“モードＡ”の時、ユーザー操作で入力信号を特定のものに切り換えた場合の画角モード切換のフローチャート。
【図７】テレビジョン放送受信装置１１１のリモートコントローラ１１７のボタン配列を説明するための図。
【発明を実施するための形態】
【００１１】
以下、図面を参照しながら本発明の実施形態について説明する。
図１は、この発明を適用したテレビジョン放送受信装置１１１の外観と、このテレビジョン放送受信装置１１１を中心として構成されるネットワークシステムの一例を概略的に示している。
【００１２】
すなわち、テレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ２１１、操作部１１６、リモートコントローラ１１７から送信される操作情報を受ける受光部１１８等が設置されている。
【００１３】
また、このテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１７】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、テレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２０】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したテレビジョン放送受信装置１１１の主要な信号処理系を示している。
放送受信用のアンテナ２０１で受信したテレビジョン放送信号は、入力端子２０２を介してチューナ２０３に供給される。
チューナ２０３は、制御部２５０からの制御信号により所望のチャンネルの放送信号を選局し、この選局された放送信号を映像信号処理ＬＳＩ２０５内のＡ／Ｄ変換器２０５１に出力する。
【００２４】
また、図示しない外部のテレビジョン放送チューナやビデオディスクプレーヤー等から１０８０ｉ／ｐの映像信号は入力端子２０４を介して映像信号処理ＬＳＩ２０５内のＡ／Ｄ変換器２０５７に供給される。
【００２５】
本実施の形態では、チューナ２０３からの信号がピクチャー・イン・ピクチャーの主画面用の信号系であり、入力端子２０４を介して入力される映像信号が副画面用の信号系である。要するに本発明のテレビジョン放送受信装置１１１では、映像信号処理ＬＳＩ２０５が、チューナ２０３からの信号に応じた主画面上に、入力端子２０４を介して入力される映像信号を副画面として重畳することにより、ピクチャー・イン・ピクチャー表示が行われる。
【００２６】
映像信号処理ＬＳＩ２０５は、Ａ／Ｄ変換器２０５１，２０５７、アナログ復調部２０５２、カラーデコーダ２０５３、スケーラ２０５５、バック・エンド・プロセッサ２０５６、ＤＳＰ２０５４とから構成されている。
【００２７】
Ａ／Ｄ変換器２０５１，２０５７は、入力されたアナログ信号をデジタル信号に変換する。
アナログ復調部２０５２は、放送波に合わせたアナログ復調処理を行い、復調した映像信号をカラーデコーダ２０５３へ出力し、復調した音声信号をＤＳＰ２０５４へ出力する。
【００２８】
カラーデコーダ２０５３は、アナログ復調部２０５２から入力された映像信号に、色復調処理や３次元ノイズリダクションを掛けた後、スケーラ２０５５へ出力する。
【００２９】
スケーラ２０５５は、カラーデコーダ２０５３から入力された映像信号の画素を、後に説明する映像表示器１１４の画素に合うよう拡大処理等を行う。また、このスケーラ２０５５は、ピクチャー・イン・ピクチャー機能を実現するための機能を有している。このスケーラ２０５５は、制御部２５０からの制御に応じて、カラーデコーダ２０５３から入力された映像信号を主画面、Ａ／Ｄ変換器２０５７から入力された映像信号を副画面としたピクチャー・イン・ピクチャー処理を行い、このピクチャー・イン・ピクチャー処理をした映像信号をバック・エンド・プロセッサ２０５６へ出力する。
【００３０】
バック・エンド・プロセッサ２０５６は、映像信号処理の後段を担う処理を行う。詳細には、制御部２５０からの制御に応じて、スケーラ２０５５から入力された映像信号に、ＯＳＤ（On Screen Display）処理を行い、このＯＳＤ処理を行った映像信号を映像信号処理ＬＳＩ２０５の外部に設けられた映像処理部２０７へ出力する。
【００３１】
ＤＳＰ２０５４は、アナログ復調部２０５２から入力された音声信号に、ＦＭや音声多重等の復調や、バストレー／バランス等の処理を行い、これら処理を行った音声信号を映像信号処理ＬＳＩ２０５の外部に設けられた音声処理部２１０へ出力する。
【００３２】
また、映像信号処理ＬＳＩ２０５は、ワークメモリ領域等として用いるためのＤＤＲメモリ２０６とデータのやりとり可能に接続されている。詳細には、ＤＤＲメモリ２０６は、映像信号処理ＬＳＩ２０５内のカラーデコーダ２０５３、ＤＳＰ２０５４、スケーラ２０５５、バック・エンド・プロセッサ２０５６と接続されており、各処理で共有して用いられるメモリである。
【００３３】
映像処理部２０７は、バック・エンド・プロセッサ２０５６から入力された映像信号を、映像表示器１１４で表示可能なフォーマットのアナログ映像信号に変換した後、映像表示器１１４に出力して映像表示させるとともに、出力端子２０９を介して外部に導出させる。
【００３４】
音声処理部２１０は、ＤＳＰ２０５４から入力された音声信号を、スピーカ２１１で再生可能なフォーマットのアナログ音声信号に変換した後、スピーカ２１１に出力して音声再生させるとともに、出力端子２１２を介して外部に導出させる。
【００３５】
記操作部２５１は、テレビジョン放送受信装置１１１を操作するためのスイッチ等から構成された操作部であり、テレビジョン放送受信装置１１１の筐体側面等に配設される。
【００３６】
受光部１１８は、リモートコントローラ１１７から送信される操作情報を受信する受光部である。
ここで、このテレビジョン放送受信装置１１１は、上記した各種の受信動作を含むその全ての動作を制御部２５０によって統括的に制御されている。この制御部２５０は、ＣＰＵ（Central Processing Unit）等を内蔵しており、前記操作部２５１からの操作情報を受け、または、リモートコントローラ１１７から送出された操作情報を、前記受光部２５２を介して受信し、この操作内容が反映されるように各部をそれぞれ制御している。
【００３７】
この場合、制御部２５０は、主として、そのＣＰＵが実行する制御プログラムを格納したＲＯＭ（Read Only Memory）２５０ａと、該ＣＰＵに作業エリアを提供するＲＡＭ（Random Access Memory）２５０ｂと、各種の設定情報及び制御情報等が格納される不揮発性メモリ２５０ｃとを利用している。
【００３８】
また、上記制御部２５０は、通信Ｉ／Ｆ２５３を介して第１のＬＡＮ端子１２１に接続されている。これにより、制御部２５０は、第１のＬＡＮ端子１２１に接続されたＬＡＮ対応のＨＤＤ１２５と、通信Ｉ／Ｆ２２５３を介して情報伝送することができる。この場合、制御部２５０は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００３９】
さらに、上記制御部２５０は、通信Ｉ／Ｆ２５４を介して第２のＬＡＮ端子１２２に接続されている。これにより、制御部２５０は、第２のＬＡＮ端子１２２に接続された各機器（図１参照）と、通信Ｉ／Ｆ２５４を介して情報伝送することができる。
【００４０】
また、上記制御部２５０は、ＵＳＢ  Ｉ／Ｆ２５５を介して前記ＵＳＢ端子１２３に接続されている。これにより、制御部２５０は、ＵＳＢ端子１２３に接続された各機器（図１参照）と、ＵＳＢ  Ｉ／Ｆ２５５を介して情報伝送することができる。
【００４１】
さらに、上記制御部２５０は、ｉ．ＬＩＮＫ  Ｉ／Ｆ２５６２を介してｉ．ＬＩＮＫ端子１２４に接続されている。これにより、制御部２５０は、ｉ．ＬＩＮＫ端子１２４に接続された各機器（図１参照）と、ｉ．ＬＩＮＫ  Ｉ／Ｆ２５６を介して情報伝送することができる。
【００４２】
先に、図７を用いて、リモートコントローラ１１７のボタン配列について説明する。
図７は、テレビジョン放送受信装置１１１のリモートコントローラ１１７のボタン配列を説明するための図である。
リモートコントローラ１１７の表面には、テレビジョン放送受信装置１１１の各種操作コマンドを指示するためのボタンが設けられている。
画角モード切換ボタン７０１は、画角モードを切り換えるためのボタンである。
テレビジョン放送受信装置１１１は複数の画角モードとして、画角モードＡ、画角モードＢ、画角モードＣという３つの画角モードを有している。画角モード切換ボタン７０１を押下する毎に、この押下されたことを受けた制御部２５０は、複数の画角モードが画角モードＡ→画角モードＢ→画角モードＣ→画角モードＡ→・・・といった順でサイクリックに切り換える。
【００４３】
この画角モードの切り換えは、実際には制御部２５０が切り換えることで実現する。制御部２５０は、リモートコントローラ１１７の画角モード切換ボタン７０１が押下されたことを、受光部１１８を介して受信する。制御部２５０は現在の画角モードをＲＡＭ２５０ｂや不揮発性メモリ２５０ｃにメモリしており、現在の次にあたる上記した順の画角モードに切り換える。
【００４４】
例えば、現在の画角モードが画角モードＡのときに画角モード切換ボタン７０１が押下されると、制御部２５０は画角モードを画角モードＡから画角モードＢに切り換え、ＲＡＭ２５０ｂや不揮発性メモリ２５０ｃにメモリしている画角モードを最新のもの（画角モード）に更新する。
【００４５】
画角モードＡは、元の画像全体がぴったりとあてまるように映像表示器１１４に表示するモードである。この画角モードＡは、ピクチャー・イン・ピクチャー表示処理を行うときの主画面の映像信号のディスプレイへの表示モードをジャストスキャン（ネイティブモード）で表示させる機能に相当する。
【００４６】
画角モードＢは、オーバースキャンさせたように、元の画像の外周が少し欠けるようにスケーラ２０５５で拡大処理を行って映像表示器１１４に表示するモードである。この画角モードＢは、ピクチャー・イン・ピクチャー表示処理を行うときの主画面の映像信号のディスプレイへの表示モードをオーバースキャン（ワイドモード）で表示させる機能に相当する。
【００４７】
また、画角モードＢは、画角モードＡよりも外周が欠けている分だけ演算しなければならない情報量が少なくて済む。
画角モードＣは、オーバースキャンを更に強くかけたように、元の画像の外側が欠けるようにスケーラ２０５５で拡大処理を行って映像表示器１１４に表示するモードである。この画角モードＣは、画角モードＢよりも、更に強くオーバースキャンを掛けた場合の機能に相当する。
【００４８】
また、画角モードＣは、画角モードＢよりも外周が欠ける量が多い（大きい）ので、画角モードＢの方が画角モードＣよりも、より画角モードが画角モードＡ（ピクチャー・イン・ピクチャー表示処理を行うときの主画面の映像信号のディスプレイへの表示モードをジャストスキャン（ネイティブモード）で表示させたときの状態）に近いといえる。
【００４９】
ここで機能１〜機能５について改めて記述する。
（機能１）３次元ノイズ・リダクション（３Ｄ−ＮＲ）の機能を働かせる。
（機能２）オン・スクリーン・ディスプレイ（ＯＳＤ）の機能を働かせる。
（機能３）内蔵するＤＳＰ部で音声信号処理の機能を働かせる。
（機能４）ピクチャー・イン・ピクチャー（ＰＩＰ）の機能を働かせる。
（機能５）ピクチャー・イン・ピクチャー表示処理を行うときの主画面の映像信号のディスプレイへの表示モードを、１０８０ラインあるＨＤの映像信号をスケーリングせずに、１０８０ラインあるＨＤパネルに１ドット１ピクセルとして表示させるスキャンモード（以下、ジャストスキャンと称す。）（ネイティブモード）で表示させる機能を働かせる。
【００５０】
これら機能の内、機能１については映像のノイズによる影響が大きいため機能をオフすることはできない。
機能２についてはＯＳＤ表示をしない訳にはいかないので機能をオフすることはできない。
機能３については音声信号を出さない訳にはいかないので機能をオフすることはできない。
機能４についてはピクチャー・イン・ピクチャー（ＰＩＰ）機能を実現する上では機能をオフすることはできない。
機能５については、主画面の映像信号のディスプレイへの表示モードをジャストスキャン（ネイティブモード）で必ずしも表示させる必要はなく、例えば画角モードＢとし、ピクチャー・イン・ピクチャー表示処理を行うときの主画面の映像信号のディスプレイへの表示モードをオーバースキャン（ワイドモード）で表示させても外周が一部欠けるだけでありそれ程問題とはならない。
【００５１】
この実施形態で用いる映像信号処理ＬＳＩでは、機能５については、画角モードＡに代えて画角モードＢとし、ピクチャー・イン・ピクチャー表示処理を行うときの主画面の映像信号のディスプレイへの表示モードをオーバースキャン（ワイドモード）で表示させた場合には、上記機能１〜５（但し、機能５については主画面の映像信号のディスプレイへの表示モードをオーバースキャン（ワイドモード）で表示）を同時に実現したものと比較して大きく変わらず、更に、当該映像信号処理ＬＳＩの外付けメモリとして設けられたＤＤＲ（Double-Data-Rate）メモリとの間のデータバスのバンド幅を超えず破綻した映像が表示されるという問題は発生しない。
【００５２】
このため本発明は機能１〜機能５を同時に実現しようとする場合には、機能５に代えて次の機能５’とし、機能１〜機能４および機能５’を同時に実現するようにする。
【００５３】
（機能５’）ピクチャー・イン・ピクチャー表示処理を行うときの主画面の映像信号のディスプレイへの表示モードをオーバースキャン（ワイドモード）で表示させる機能を働かせる。
【００５４】
ＰＩＰボタン７０２は、テレビジョン放送受信装置１１１のピクチャー・イン・ピクチャー機能のＯＮ／ＯＦＦを切り換えるためのボタンである。
このＰＩＰボタン７０２も押下する毎に、この押下されたことを受けた制御部２５０は、ピクチャー・イン・ピクチャーのＯＮ／ＯＦＦを切り換える。
制御部２５０は、ピクチャー・イン・ピクチャーをＯＦＦからＯＮに切り換えたときには、今まで視聴していた入力信号に所望の入力信号（例えば、チューナ２４５ａ，２５０ａの内、視聴していなかった方の信号）を副画面として多重させるようグラフィック処理部２５４を制御する。
【００５５】
電源ボタン７０３は、テレビジョン放送受信装置１１１の電源のＯＮ／ＯＦＦを切り換えるためのボタンである。
この電源ボタン７０３も押下する毎に、この押下されたことを受けた制御部２５０は、テレビジョン放送受信装置１１１の電源のＯＮ／ＯＦＦを切り換える。
符号７１１〜７１４は、メディアを切り換えるボタンであり、このボタンが押下されると各ボタンのメディアが選択されたものとして、チャンネルボタン７２０が動作する。例えば、符号７１２が押下されると、この押下されたことを受けた制御部２５０は、地上デジタル放送のメディアが選択されたものとしてテレビジョン放送受信装置１１１が地上デジタル放送モードへ切り換わり、この後チャンネルボタン７２０が押下されると、この押下されたボタンに応じた地上デジタル放送のチャンネルにチャンネル切換を行う。
【００５６】
チャンネルアップダウンボタン７３０はチャンネルをアップ／ダウン切り換えするためのボタンであり、音量ボタン７４０は音量をアップ／ダウン切り替えするためのボタンであり、この押下されたことを受けた制御部２５０は、チャンネルや音量をアップ／ダウン切り換えする。
【００５７】
図３は、ＰＩＰ起動時に“特定の入力信号”を主画面にした場合の、制御部２５０による画角モード切換のフローチャートである。なお、本明細書中“特定の入力信号”とは、映像信号の信号フォーマットが１０８０ｉ／１０８０ｐの入力信号を指す。
【００５８】
この図３の説明において各画角モードは次の通りである。
画角モードＡ：  ＰＩＰ起動時に“特定の入力信号”を主画面にした場合、支障がある画角モード。
画角モードＢ：  仕様が画角モードＡに近く、ＰＩＰ起動しても支障が無い画角モード。
なお、図３では、初めに“特定の入力信号”が入力され、上記機能１〜機能３の機能を働かせており、画角モードＡで非ＰＩＰ表示（ステップＳ３０１）を行うものとして説明する。
【００５９】
ステップＳ３０１：  初めに、“特定の入力信号”を画角モードＡで非ＰＩＰ表示しており、ステップＳ３０２へ進む。
ステップＳ３０２：  制御部２５０は、ユーザーによりリモートコントローラ１１７のＰＩＰボタン７０２が押下されるか否かを判断する。ユーザーによりリモートコントローラ１１７のＰＩＰボタン７０２が押下されるとステップＳ３０３へ進み、押下されなければステップ３０１へ戻る。
【００６０】
ステップＳ３０３：  制御部２５０は、ステップＳ３０１の処理後の状態（“特定の入力信号”を画角モードＡで非ＰＩＰ表示）のときに、ユーザーによりリモートコントローラ１１７のＰＩＰボタン７０２が押下されると（ステップＳ３０２のＹｅｓ）、画角モードを画角モードＡから画角モードＢに切り換えると共に、ピクチャー・イン・ピクチャーをＯＮにし、画角モードＢでＰＩＰ表示し、ステップＳ３０４へ進む。制御部２５０は、ピクチャー・イン・ピクチャーをＯＦＦからＯＮに切り換えたときには、今まで視聴していた“特定の入力信号”に所望の入力信号（例えば、チューナ２４５ａ，２５０ａの内、視聴していなかった方の信号）を副画面として多重させるようグラフィック処理部２５４を制御する。
【００６１】
ステップＳ３０４：  制御部２５０は、ステップＳ３０３の処理後の状態（“特定の入力信号”を画角モードＢでＰＩＰ表示）のときに、ユーザーによりリモートコントローラ１１７のＰＩＰボタン７０２が押下されると（ステップＳ３０４のＹｅｓ）、画角モードを元の画角モードＡに切り換える（戻す）と共に、ピクチャー・イン・ピクチャーをＯＦＦ（解除）してステップＳ３０１へ戻って画角モードＡで非ＰＩＰ表示し、押下されなければステップＳ３０３へ戻り“特定の入力信号”を画角モードＢでＰＩＰ表示することを維持する。
【００６２】
なお、上記ステップＳ３０４でＹｅｓのとき、ステップＳ３０１へ戻ることにより画角モードを元の画角モードＡに切り換える（戻す）ようにしたが、これに代えピクチャー・イン・ピクチャーをＯＦＦ（解除）するだけで画角モードについては画角モードＢを維持する（画角モードＢ  非ＰＩＰ）ようにしてもよい。
【００６３】
以上をまとめると、“特定の入力信号”を通常視聴中に画角モードを画角モードＡとしていた場合、ＰＩＰ起動すると画角モードを画角モードＢに自動で切り換える。
【００６４】
また、この実施形態では、ＰＩＰをＯＦＦ時（解除時、終了時）に起動前の画角モードに自動で戻すことにより、ユーザーの画角モード切換による違和感を軽減することができる。
【００６５】
図４は、テレビジョン放送受信装置１１１の電源オフにてＰＩＰをＯＦＦ（解除）する場合の、制御部２５０による画角モード切換のフローチャートである。
この図４の説明において各画角モードは次の通りである。
画角モードＡ：  ＰＩＰ起動時に“特定の入力信号”を主画面にした場合、支障がある画角モード。
画角モードＢ：  仕様が画角モードＡに近く、ＰＩＰ起動しても支障が無い画角モード。
なお、図４では、初めに“特定の入力信号”が入力され、上記機能１〜機能３の機能を働かせており、画角モードＡで非ＰＩＰ表示（ステップＳ４０１）を行うものとして説明する。
【００６６】
制御部２５０は、ラストに入力された入力信号について制御部２５０内の不揮発性メモリ２５０ｃに記憶させる。この例では、入力信号として“特定の入力信号”を選択した時点で、ラストに入力された入力信号として“特定の入力信号”が不揮発性メモリ２５０ｃに記憶されているものとして説明をする。
【００６７】
ステップＳ４０１：  初めに、“特定の入力信号”を画角モードＡで非ＰＩＰ表示し、ステップＳ４０２へ進む。いる。制御部２５０は、“特定の入力信号”を表示しているときに画角モードを変更した場合、例えばステップＳ４０１において画角モードをある画角モードから他の画角モードへ変更したときには、変更前の画角モードを制御部２５０内の不揮発性メモリ２５０ｃに記憶させる。このステップＳ４０１の前の画角モードが、もし、画角モードＺであった場合には、制御部２５０は、画角モードＺという情報を制御部２５０内の不揮発性メモリ２５０ｃに記憶させる。
【００６８】
ステップＳ４０２：  制御部２５０は、ユーザーによりリモートコントローラ１１７のＰＩＰボタン７０２が押下されるか否かを判断する。ユーザーによりリモートコントローラ１１７のＰＩＰボタン７０２が押下されるとステップＳ４０３へ進み、押下されなければステップ４０１へ戻る。
【００６９】
ステップＳ４０３：  制御部２５０は、ステップＳ４０１の処理後の状態（“特定の入力信号”を画角モードＡで非ＰＩＰ表示）のときに、ユーザーによりリモートコントローラ１１７のＰＩＰボタン７０２が押下されると（ステップＳ４０２のＹｅｓ）、画角モードを画角モードＡから画角モードＢに切り換えると共に、ピクチャー・イン・ピクチャーをＯＮにし、画角モードＢでＰＩＰ表示する。この後、ステップＳ４０４へ進む。
【００７０】
また、制御部２５０は、“特定の入力信号”を表示しているときに画角モードを変更した場合、ステップＳ４０３において画角モードをある画角モード（画角モードＡ）から他の画角モード（画角モードＢ）へ変更したときには、変更前の画角モード（画角モードＡ）を制御部２５０内の不揮発性メモリ２５０ｃに記憶させる。この記憶されている画角モードは上書きで記憶される。よってこのステップＳ４０１では、制御部２５０は、画角モードＡという情報を制御部２５０内の不揮発性メモリ２５０ｃに記憶させることとなる。制御部２５０は、ピクチャー・イン・ピクチャーをＯＦＦからＯＮに切り換えたときには、今まで視聴していた“特定の入力信号”に所望の入力信号（例えば、チューナ２４５ａ，２５０ａの内、視聴していなかった方の信号）を副画面として多重させるようグラフィック処理部２５４を制御する。
【００７１】
ステップＳ４０４：  制御部２５０は、ステップＳ４０３の処理（“特定の入力信号”を画角モードＢでＰＩＰ表示）後に、ユーザーによりリモートコントローラ１１７の電源ボタン７０３が押下されると（ステップＳ４０４のＹｅｓ）ステップＳ４０５へ進み、押下されなければステップＳ４０３へ戻り“特定の入力信号”を画角モードＢでＰＩＰ表示することを維持する。
【００７２】
ステップＳ４０５：  制御部２５０は、テレビジョン放送受信装置１１１の電源をＯＦＦにし、ステップＳ４０６へ進む。なお、ここでテレビジョン放送受信装置１１１の電源をＯＦＦにしても、テレビジョン放送受信装置１１１は、リモートコントローラ１１７による操作指示については受信可能に電源をＯＦＦする。詳細には、主電源はＯＮとすると共にテレビジョン放送を受信するのに必要な回路、例えば図２のテレビジョン放送受信処理系統であるチューナ、復調器、・・・、スピーカ２１１、映像表示器１１４等に電源を供給する副電源をＯＦＦにすることで、受光部１１８および制御部２５０にのみ電源の供給を行い、リモートコントローラ１１７の信号は受信可能に電源をＯＦＦする。よって、テレビジョン放送受信装置１１１の電源（副電源）がＯＦＦの状態でも、リモートコントローラ１１７による操作指示は主電源がＯＮしているので受信可能である。
【００７３】
ステップＳ４０６：  制御部２５０は、ステップＳ４０５の状態（テレビジョン放送受信装置１１１の電源ＯＦＦ）のときに、ユーザーによりリモートコントローラ１１７の電源ボタン７０３が押下されると（ステップＳ４０６のＹｅｓ）ステップＳ４０７へ進み、押下されなければステップＳ４０６へ戻りテレビジョン放送受信装置１１１の電源ＯＦＦの状態を維持する。
【００７４】
ステップＳ４０７：  制御部２５０は、テレビジョン放送受信装置１１１の電源をＯＮ（主電源ＯＮ＋副電源ＯＦＦの状態から、主電源ＯＮ＋副電源ＯＮの状態へ切り換え）し、ステップＳ４０４で電源をＯＦＦしたときに表示していた画面（主画面）の信号を得るために、不揮発性メモリ２５０ｃに記憶されている情報へアクセスし、電源をＯＦＦにする前のラストに入力された入力信号へアクセスする。ここではステップＳ４０４で電源をＯＦＦしたときに表示していた画面は“特定の入力信号”であるので、ここでは電源をＯＦＦにする前のラストに入力された入力信号として“特定の入力信号”を得る。また制御部２５０は、電源をＯＮしたときには必ずＰＩＰ機能はＯＦＦし、非ＰＩＰ表示画面とする。この結果、制御部２５０は、ラストに入力された入力信号“特定の入力信号”を、非ＰＩＰ表示で最適な画角モードである画角モードＡで非ＰＩＰ表示し、ステップＳ４０１へ戻る。ここで“特定の入力信号”を画角モードＡで非ＰＩＰ表示するのは、“特定の入力信号”を画角モードＢで表示するよりも、画角モードＡで表示させた方が、“特定の入力信号”としては、画像の全てが表示できるので、より好ましい状態で表示することができるからである。
【００７５】
以上をまとめると、ＰＩＰ時に電源がＯＦＦされた後、再び電源をＯＮした場合は、電源がＯＦＦされたときに主画面として表示していた映像信号を、非ＰＩＰ表示として画角モードＡに自動で戻して表示する。
【００７６】
このため、“特定の入力信号”が支障の発生する画角モードで表示されることを防止することができる。
図５は、ＰＩＰ起動中に“特定の入力信号”を表示中に、ユーザー操作で画角モードが切り換えられた後、“特定の入力信号”を主画面にしてＰＩＰ表示を行った場合の画角モード切換のフローチャートである。
【００７７】
この図５の説明において各画角モードは次の通りである。
画角モードＡ：  ＰＩＰ起動時に“特定の入力信号”を主画面にした場合、支障がある画角モード。
画角モードＢ：  仕様が画角モードＡに近く、ＰＩＰ起動しても支障が無い画角モード。
画角モードＣ：  ＰＩＰ起動時に“特定の入力信号”を主画面にしても支障が無い、画角モードＡ，Ｂ以外の画角モード（画角モードＢと比較して、仕様が画角モードＡ程近くない）。
【００７８】
なお、図５では、初めに“特定の入力信号”が入力され、上記機能１〜機能３の機能を働かせており、画角モードＡで非ＰＩＰ表示（ステップＳ５０１）を行うものとして説明する。
【００７９】
ステップＳ５０１：  初めに、“特定の入力信号”を画角モードＡで非ＰＩＰ表示し、ステップＳ５０２へ進む。
ステップＳ５０２：  制御部２５０は、ユーザーによりリモートコントローラ１１７のＰＩＰボタン７０２が押下されるか否かを判断する。ユーザーによりリモートコントローラ１１７のＰＩＰボタン７０２が押下されるとステップＳ５０３へ進み、押下されなければステップ５０１へ戻る。
【００８０】
ステップＳ５０３：  制御部２５０は、ステップＳ５０１の処理後の状態（“特定の入力信号”を画角モードＡで非ＰＩＰ表示）のときに、ユーザーによりリモートコントローラ１１７のＰＩＰボタン７０２が押下されると（ステップＳ５０２のＹｅｓ）、画角モードを画角モードＡから画角モードＢに切り換えると共に、ピクチャー・イン・ピクチャーをＯＮにし、画角モードＢでＰＩＰ表示する。この後、ステップＳ５０４へ進む。
【００８１】
また、制御部２５０は、ピクチャー・イン・ピクチャーをＯＦＦからＯＮに切り換えたときには、今まで視聴していた“特定の入力信号”に所望の入力信号（例えば、チューナ２４５ａ，２５０ａの内、視聴していなかった方の信号）を副画面として多重させるようグラフィック処理部２５４を制御する。
【００８２】
ステップＳ５０４：  制御部２５０は、ステップＳ５０３の処理後の状態（“特定の入力信号”を画角モードＢでＰＩＰ表示）のときに、ユーザーによりリモートコントローラ１１７のＰＩＰボタン７０２が押下されると（ステップＳ５０４のＹｅｓ）、ステップＳ５０１へ戻って、画角モードを元の画角モードＡに切り換える（戻す）と共に、ピクチャー・イン・ピクチャーをＯＦＦ（解除）する。反対にリモートコントローラ１１７のＰＩＰボタン７０２が押下されなければ（ステップＳ５０４のＮｏ）、ステップＳ５０５へ進む。
【００８３】
なお、上記ステップＳ５０４でＹｅｓのとき、ステップＳ５０１へ戻ることにより画角モードを元の画角モードＡに切り換える（戻す）ようにしたが、これに代えピクチャー・イン・ピクチャーをＯＦＦ（解除）するだけで画角モードについては画角モードＢを維持する（画角モードＢ  非ＰＩＰ）ようにしてもよい。
【００８４】
ステップＳ５０５：  制御部２５０は、ステップＳ５０３の処理後の状態（“特定の入力信号”を画角モードＢでＰＩＰ表示）のときに、ユーザーによりリモートコントローラ１１７の画角モード切換ボタン７０１が押下されると（ステップＳ５０５のＹｅｓ）ステップＳ５０６へ進み、押下されなければステップＳ５０４へ戻る。
【００８５】
ステップＳ５０６：  制御部２５０は、ステップＳ５０３の処理後の状態（“特定の入力信号”を画角モードＢでＰＩＰ表示）のときに、ユーザーによりリモートコントローラ１１７の画角モード切換ボタン７０１が押下されると（ステップＳ５０５のＹｅｓ）、画角モードを画角モードＢから、ＰＩＰ起動しても支障がない他の画角モードである画角モードＣに切り換え、ステップＳ５０７へ進む。このステップＳ５０６にて画角モードＢから画角モードＣに切り換えるのは、ＰＩＰ表示しているときに画角モードＡに切り換えては支障があるからであり、ＰＩＰ表示しているときに支障がない他の画角モードであるからである。
【００８６】
ステップＳ５０７：  制御部２５０は、ステップＳ５０６の処理後の状態（“特定の入力信号”を画角モードＣでＰＩＰ表示）のときに、ユーザーによりリモートコントローラ１１７のＰＩＰボタン７０２が押下されると（ステップＳ５０７のＹｅｓ）、ステップＳ５０８へ進み、押下されなければステップＳ５０６へ戻る。
【００８７】
ステップＳ５０８：  制御部２５０は、ステップＳ５０６の処理後の状態（“特定の入力信号”を画角モードＣでＰＩＰ表示）のときに、ユーザーによりリモートコントローラ１１７のＰＩＰボタン７０２が押下されると（ステップＳ５０７のＹｅｓ）、画角モードＣで非ＰＩＰ表示に切り換える。
【００８８】
以上をまとめると、ユーザー操作で画角モードが切り換えられた場合は、ＰＩＰ終了後も設定後の画角モードを維持する。
このため、“特定の入力信号”が支障の発生する画角モードで表示されることを防止することができる。
また、この実施形態では、ＰＩＰをＯＦＦ時（解除時、終了時）にＰＩＰ起動前の画角モードに自動で戻すことにより、ユーザーの画角モード切換による違和感を軽減することができる。
【００８９】
図６は、ＰＩＰ起動中、主画面の画角モードが“モードＡ”の時、ユーザー操作で入力信号を特定のものに切り換えた場合の画角モード切換のフローチャートである。
【００９０】
この図６の説明において各画角モードは次の通りである。
画角モードＡ：  ＰＩＰ起動時に“特定の入力信号”を主画面にした場合、支障がある画角モード。
画角モードＢ：  仕様が画角モードＡに近く、ＰＩＰ起動しても支障が無い画角モード。
なお、図６では、初めに“特定の入力信号”または“非特定の入力信号”が入力され、上記機能１〜機能３の機能を働かせており、画角モードＡで表示（ステップＳ６０１）を行うものとして説明する。
【００９１】
ステップＳ６０１：  初めに、“特定の入力信号”を画角モードＡで非ＰＩＰ表示し、ステップＳ６０２へ進む。
ステップＳ６０２：  制御部２５０は、ユーザーによりリモートコントローラ１１７のＰＩＰボタン７０２が押下されるか否かを判断する。ユーザーによりリモートコントローラ１１７のＰＩＰボタン７０２が押下されるとステップＳ６０３へ進み、押下されなければステップ６０１へ戻る。
【００９２】
ステップＳ６０３：  制御部２５０は、入力信号が“特定の入力信号”か否かを判断し、“特定の入力信号”であればステップＳ６０４へ進み、“特定の入力信号”でなければステップＳ６０７へ進む。
【００９３】
ステップＳ６０４：  制御部２５０は、ステップＳ６０１の処理後の状態（“特定の入力信号”を画角モードＡで非ＰＩＰ表示）のときに、ユーザーによりリモートコントローラ１１７のＰＩＰボタン７０２が押下される（ステップＳ６０３のＹｅｓ）か、或いはステップＳ６０７の処理後の状態（非“特定の入力信号”を画角モードＡでＰＩＰ表示）のときに、ユーザーによりリモートコントローラ１１７の入力切り換えボタン７５０が押下されて、入力信号が非“特定の入力信号”に切り換えられると、画角モードを画角モードＡから画角モードＢに切り換えると共に、ピクチャー・イン・ピクチャーをＯＮにするかＯＮを維持し、画角モードＢでＰＩＰ表示する。この後、ステップＳ６０５へ進む。制御部２５０は、ピクチャー・イン・ピクチャーをＯＦＦからＯＮに切り換えたときには、今まで視聴していた“特定の入力信号”に所望の入力信号（例えば、チューナ２４５ａ，２５０ａの内、視聴していなかった方の信号）を副画面として多重させるようグラフィック処理部２５４を制御する。
【００９４】
ステップＳ６０５：  制御部２５０は、ユーザーによりリモートコントローラ１１７の入力切り換えボタン７５０が押下されて、入力信号が非“特定の入力信号”に切り換えられるか否かを判断し、非“特定の入力信号”に切り換えられなければステップＳ６０６へ進み、非“特定の入力信号”に切り換えられたならステップＳ６０７へ進む。
【００９５】
ステップＳ６０６：  制御部２５０は、ステップＳ６０４の処理後の状態（“特定の入力信号”を画角モードＢでＰＩＰ表示）のときに、ユーザーによりリモートコントローラ１１７のＰＩＰボタン７０２が押下されると（ステップＳ６０６のＹｅｓ）、ステップＳ６０１へ戻り、押下されなければステップＳ６０４へ戻る。
【００９６】
なお、上記ステップＳ６０６でＹｅｓのとき、ステップＳ６０１へ戻ることにより画角モードを元の画角モードＡに切り換える（戻す）ようにしたが、これに代えピクチャー・イン・ピクチャーをＯＦＦ（解除）するだけで画角モードについては画角モードＢを維持する（画角モードＢ  非ＰＩＰ）ようにしてもよい。
【００９７】
ステップＳ６０７：  制御部２５０は、ステップＳ６０１の処理後の状態（“特定の入力信号”を画角モードＡで非ＰＩＰ表示）のときに、ユーザーによりリモートコントローラ１１７のＰＩＰボタン７０２が押下される（ステップＳ６０３のＹｅｓ）か、或いはステップＳ６０４の処理後の状態（“特定の入力信号”を画角モードＢでＰＩＰ表示）のときに、ユーザーによりリモートコントローラ１１７の入力切り換えボタン７５０が押下されて、入力信号が“特定の入力信号”に切り換えられると、画角モードを画角モードＢから画角モードＡに切り換えると共に、ピクチャー・イン・ピクチャーをＯＮにするかＯＮを維持し、画角モードＡでＰＩＰ表示する。この後、ステップＳ６０５へ進む。制御部２５０は、ピクチャー・イン・ピクチャーをＯＦＦからＯＮに切り換えたときには、今まで視聴していた“特定の入力信号”に所望の入力信号（例えば、チューナ２４５ａ，２５０ａの内、視聴していなかった方の信号）を副画面として多重させるようグラフィック処理部２５４を制御する。
【００９８】
ステップＳ６０８：  制御部２５０は、ユーザーによりリモートコントローラ１１７の入力切り換えボタン７５０が押下されて、入力信号が“特定の入力信号”に切り換えられるか否かを判断し、“特定の入力信号”に切り換えられなければステップＳ６０９へ進み、“特定の入力信号”に切り換えられたならステップＳ６０４へ進む。
【００９９】
ステップＳ６０９：  制御部２５０は、ステップＳ６０７の処理後の状態（非“特定の入力信号”を画角モードＡでＰＩＰ表示）のときに、ユーザーによりリモートコントローラ１１７のＰＩＰボタン７０２が押下されると（ステップＳ６０９のＹｅｓ）、ステップＳ６０１へ戻り、押下されなければステップＳ６０７へ戻る。
【０１００】
以上説明したとおり、本発明によれば、主画面の映像信号が“特定の入力信号”か否かに応じ、主画面の映像信号が“特定の入力信号”のときにだけＰＩＰをＯＦＦ時（解除時、終了時）に起動前の画角モードに自動で戻すことにより、ユーザーの画角モード切換による違和感を軽減することができる。
【０１０１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０２】
１１１…テレビジョン放送受信装置、１１２…キャビネット、１１３…支持台、１１４…映像表示器、２１１…スピーカ、１１６…操作部、１１７…リモートコントローラ、１１８…受光部、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２５０３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2011044830.tif 000003
【図２】
2011044830.tif 000004
【図３】
2011044830.tif 000005
【図４】
2011044830.tif 000006
【図５】
2011044830.tif 000007
【図６】
2011044830.tif 000008
【図７】
2011044830.tif 000009